(57)【要約】表示コンテンツのパネルをナビゲートする方法が提供され、グラフィックデータ２４を有する複数の画像ファイル２０、計算装置１０、及び画像ファイル２０をナビゲート及び表示するためのナビゲーションモジュール５０を備える。計算装置１０は、メモリ装置１５と、計算を行い、ナビゲーションモジュールを実行することによってメモリ装置１５に記憶されたデータを操作する中央処理装置１６と、ユーザが表示領域１２ａ内に表示されたグラフィックデータ２４の順次並置されたパネル１９を提供する複数の画像ファイル２０にアクセスすることを可能にするための表示領域１２ａを有するユーザインターフェース１２と、を備える。ナビゲーションモジュール５０は中央処理装置１６によって実行され、ユーザが表示領域１２ａをパンし、被選択パネル１９ａを選択するときに、ユーザがパネル１９の表示モードとパネル１９のナビゲーションモードとの間で切り替えることを可能にする。
2020507174.tif 000002
【特許請求の範囲】
【請求項１】
表示コンテンツのパネルをナビゲートする方法であって、
データベース４に記憶され、グラフィックデータ２４を有する複数の画像ファイル２０と、計算装置１０と、前記データベース４に記憶されたナビゲーションモジュール５０と、を備え、
前記計算装置１０は、
前記複数の画像ファイル２０を備えるデジタルデータを保持するために使用されるメモリ装置１５と、
計算し命令を送ることによって、前記メモリ装置１５に記憶されたデジタルデータを処理するための中央処理装置１６と、
表示領域１２ａを有し、前記表示領域１２ａ内に表示されるグラフィックデータ２４の順次並置された複数のパネル１９を受け取って表示する汎用ユーザインターフェース１２と、を備え、
前記中央処理装置１６は、前記ナビゲーションモジュール５０を実行し、ユーザが前記順次並置されたパネル１９をパンして被選択パネルを選択してズームインする際に、前記パネル１９の表示モードと前記複数のパネル１９のナビゲーションモードとの間の切り替えを前記ユーザに可能にする、方法。
【請求項２】
パネル１９の前記表示モードは、前記表示領域１２ａに表示された、順次並置されたパネル１９の各ページについて１００％の表示可能なコンテンツを含む、請求項１に記載の方法。
【請求項３】
前記ナビゲーションモジュール５０は、前記ユーザが前記被選択パネル１９ａを選択すると、前記被選択パネル１９ａのズーム画像をズームインして表示する、請求項２に記載の方法。
【請求項４】
前記ユーザは、前記複数のパネル１９のうちの１つに対応する前記汎用ユーザインターフェース１２の座標系の特定の座標を指して選択することによって前記被選択パネル１９ａを選択する、請求項３に記載の方法。
【請求項５】
前記ナビゲーションモジュール５０は、前記ユーザが前記被選択パネル１９ａを選択した後に、前記被選択パネル１９ａにズームインして前記被選択パネル１９ａの周囲にソフトエッジ効果６０を配置する、請求項４に記載の方法。
【請求項６】
前記被選択パネル１９ａは、前記表示領域１２ａの利用可能範囲の約８５から約９０％を占める、請求項５に記載の方法。
【請求項７】
前記ナビゲーションモジュール５０は、前記被選択パネル１９ａを囲む前記複数のパネル１９の上に陰影Ｓを同時に提供する、請求項５に記載の方法。
【請求項８】
前記ユーザは、前記汎用ユーザインターフェース１２を再度選択して、ナビゲーション開始位置５２を提供することによって前記複数のパネル１９をナビゲートし続ける、請求項７に記載の方法。
【請求項９】
前記ユーザは、前記被選択パネル１９ａの位置と前記被選択パネル１９ａを囲む前記複数のパネル１９に対してスワイプジェスチャを実行することによって後続のパネル１９ｃを選択する、請求項８に記載の方法。
【請求項１０】
前記スワイプジェスチャは、１回の連続的な直線的な動作で実行され、前記ナビゲーション開始位置５２は、前記ナビゲーションモジュール５０によって識別され記憶される、請求項９に記載の方法。
【請求項１１】
前記ナビゲーションモジュール５０は、連続的なスワイプ５１の経路の前記ナビゲーション開始位置５２とナビゲーション終了位置５４との間の距離Ｌを決定することによって、前記連続的なスワイプ５１の前記経路を評価する、請求項１０に記載の方法。
【請求項１２】
前記スワイプジェスチャが一旦停止すると、前記ナビゲーション終了位置５４が決定される、請求項１１に記載の方法。
【請求項１３】
前記ナビゲーションモジュール５０は、前記連続的なスワイプ５１の前記経路の前記ナビゲーション開始位置５２と現在位置の間の座標である、前記ナビゲーション開始位置５２と中間経路５３の選択座標によって、前記連続的なスワイプ５１の前記経路の方向ベクトルＶの計算を開始する、請求項１２に記載の方法。
【請求項１４】
前記ナビゲーション開始位置５２は、前記被選択パネル１９に対する前記後続のパネル１９ｃの位置と一致する、請求項１３に記載の方法。
【請求項１５】
ユーザは、次いで、前記被選択パネル６０の位置及び方向と一致するナビゲーション終了位置５４まで前記汎用ユーザインターフェース１２を横切ってスライドする、請求項１４に記載の方法。
【請求項１６】
前記スワイプジェスチャは、前記ナビゲーションモジュール５０が前記方向ベクトルＶにあると識別する横方向の動作である、請求項１５に記載の方法。
【請求項１７】
前記ナビゲーションモジュール５０は、前記後続のパネル１９ｃが他の被選択パネル６０に遷移するように前記後続のパネル１９ｃを決定し、表示シーケンスを実行する、請求項１６に記載の方法。
【請求項１８】
前記表示シーケンスは、前記連続的なスワイプ５１の前記経路に沿って移動することによって制御され、前後に移動され得る、請求項１７に記載の方法。
【請求項１９】
前記表示シーケンスは、前記中間経路５３の間に前記複数のパネル１９のズームアウト及びズームインを含む、請求項１７に記載の方法。
【請求項２０】
前記複数の画像ファイル２０は、ネットワーク９を介してダウンロードされる、請求項１に記載の方法。
【請求項２１】
前記複数の画像ファイル２０は、前記計算装置１０に事前にロードすることができる、請求項１に記載の方法。
【請求項２２】
前記計算装置１０は、タッチスクリーンディスプレイ１１を備えたタブレットコンピュータである、請求項１に記載の方法。
【請求項２３】
前記タッチスクリーンディスプレイ１１は、指又はスタイラスのジェスチャを用いて前記汎用ユーザインターフェース１２をナビゲートし、スワイプジェスチャを通じて前記被選択パネル１９ａを選択する、請求項２２に記載の方法。
【発明の詳細な説明】
【技術分野】
【０００１】
関連出願との相互参照
本出願は、２０１７年１月１３日に出願された米国仮特許出願第６２／４４６，０６５号の米国特許法１１９条（ａ）〜（ｄ）に基づく出願日の利益を主張する。
【０００２】
本発明は、汎用ユーザインターフェース上の表示コンテンツのパネル（panel：こま）をナビゲートする方法に関し、より詳細には、汎用ユーザインターフェース上の表示コンテンツの順次並置されたパネルをナビゲートする方法に関する。
【背景技術】
【０００３】
従来の紙への発行は、単一のページのレイアウトが複数の論理的なコンテンツパネルを利用することを常に可能にしてきた。例としては、１）記事の文章に入りにくい情報を提供するサイドバーとともにストーリーを発行する新聞や雑誌、読者の体験を向上させるグラフや写真又は文章以外の他のコンテンツを提供するグラフィック挿入物、２）ページは互いに複数のパネルで構成されている漫画本を含む。ほとんどの人がよく使うタッチスクリーン計算装置、例えば、スマートフォンやタブレットの画面は、従来の発行されたページほど大きくはないので、もっと小さなスペースで従来のページレイアウト技術を採用することは最適でない読書体験を生み出し、メイン文章以外の論理コンテンツパネルが、文章末尾のリンクに追いやられているか、又は視聴されている装置の画面サイズに比例して一致しない方法で表示され、ユーザが手動でぎこちないズームイン及びズームアウトを行うことを要求する、又は時々それらは完全に省略される。ここで本発明は、ユーザが特定の論理コンテンツパネルのズームインビューに入ってそのコンテンツを視聴すること、及びタッチスクリーンスワイプジェスチャを使用することによってズームインコンテンツの焦点を隣接する論理コンテンツパネルに変更することを可能にする。
【０００４】
米国特許第８，３０１，９９９号は、デジタル著作物内のデジタル化された漫画本又は他の一連のイラストシーン（illustrative scene）を自動的にナビゲートする方法及びシステムを対象としている。この方法及びシステムは、２つの表示モードを提供する。第１の表示モードでは、１つのパネルを他のパネルと視覚的に区別することなく、ページ全体が表示画面上に見える。第２の表示モードでは、一連のイラストシーンの１つが視覚的に強調されて、１つの表示されたイラストシーンが隣接するイラストシーンよりも容易に知覚され、各表示されたイラストシーンの寸法がデジタル著作物内の他のパネルの各々の寸法から独立している。方法又はシステムのユーザは、第１又は第２の表示モードのいずれかを要求することができる。方法及びシステムは、局所的又は遠隔的に制御及び記憶することができる。したがって、これは筋書きでコマ割りされた（storyline-framed）順序のシーンをナビゲートする上で非常に広い方法である。
【０００５】
より具体的には、’９９９特許は、表示体験を作り出すこと、より具体的には、各表示されたイラストシーンを、指定された順序で隣接するイラストシーンよりも、容易に知覚させる視覚強調を用いてイラストシーンの各順序を表示することに焦点を当てており、各表示されたイラストシーンの寸法は、デジタル著作物内の各パネルの寸法とは無関係である。結果として、強調されたフレームとその寸法の視覚的な強調は、元の順序のいずれかのパネルの寸法とは無関係であり、つまり、それらは対応していない。例えば、図１０Ａ及び図１２Ｂに示されるように、元のパネル１２０４が引き延ばされる一方で、強調パネル１００４は切り詰められ、それは独自の視覚効果を生み出す。これは元のフレームの不均衡な表示である。
【０００６】
さらに、’９９９特許は、ボタンをクリックし、カーソル又は他の位置インジケータをパネル上に又は特定のパネルをクリックして配置するために、ボタンの選択、マウス又は他の入力機構の操作によるナビゲーション制御ボタンの起動などの特定の動作にユーザを集中させる。タッチスクリーン装置の継続的な開発に伴い、コンテンツをナビゲートするためにスワイプを使用することが必要とされている。
【０００７】
したがって、スワイプなどの単純なコマンドを使用して連続セルの画面ビューを切り替えることによってデジタル化されたコンテンツをナビゲートするユーザの能力を向上させる方法及び関連ツールを提供することが望ましい。
【発明の概要】
【０００８】
結果として、汎用ユーザインターフェース上の表示コンテンツの順次並置されたパネルをナビゲートする方法が提供される。このシステムは概して、グラフィックデータを有する複数の画像ファイルと、計算装置と、画像ファイルをナビゲートして表示するためのナビゲーションモジュールと、を含む。計算装置は、メモリ装置と、計算を行い、ナビゲーションモジュールを実行することによってメモリ装置に記憶されたデータを操作する中央処理装置と、ユーザが表示領域内に表示されたグラフィックデータの順次並置されたパネルを提供する複数の画像ファイルにアクセスすることを可能にするための表示領域を有するユーザインターフェースと、を備える。ナビゲーションモジュールは、中央処理装置によって実行され、ユーザが表示領域をパンして、選択されたパネルを選択するときに、ユーザがパネルの表示モードとパネルのナビゲーションモードとの間で切り替えることを可能にする。
【図面の簡単な説明】
【０００９】
本発明は、ここで添付の図面を参照して例により説明される。
【図１】本発明による表示システムのためのハードウェア及びネットワークインフラストラクチャのフロー図である。
【図２】本発明による表示システムの接続装置の概略図である。
【図３】複数の順次並置されたパネルを有する汎用ユーザインターフェースを示す、本発明による表示システムの表示モジュールのグラフィック表示である。
【図４】本発明によるナビゲーションモジュールを使用して表示領域の順次並置されたパネル間をナビゲートする表示システムのグラフィック表示である。
【図５】本発明によるナビゲーションモジュールを用いた表示システムのグラフィック表示であり、表示領域の順次並置されたパネルのうちの選択されたパネルを示す。
【図６】図５の表示システムのグラフィック表示であり、表示領域の順次並置されたパネル間をナビゲートするための直線的ジェスチャの第１のステップを示す。
【図７】図６の表示システムのグラフィック表示であり、表示領域の順次並置されたパネル間をナビゲートするための直線的ジェスチャの後続のステップを示す。
【図８】図７の表示システムのグラフィック表示であり、表示領域の順次並置されたパネル間をナビゲートするための直線的ジェスチャの別の後続のステップを示す。
【図９】図８の表示システムのグラフィック表示であり、表示領域の順次並置されたパネル間をナビゲートするための直線的ジェスチャの別の後続のステップを示す。
【図１０】図９の表示システムのグラフィック表示であり、表示領域の順次並置されたパネル間をナビゲートするための直線的ジェスチャによって選択された後続のパネルを表示する。
【図１１】本発明によるナビゲーションモジュールを用いた表示システムのグラフィック表示であり、表示領域の順次並置されたパネルのうちの選択されたパネルを示す。
【図１２】図１１の表示システムのグラフィック表示であり、表示領域の順次並置されたパネル間をナビゲートするための直線的ジェスチャの第１のステップを示す。
【図１３】図１２の表示システムのグラフィック表示であり、表示領域の順次並置されたパネル間をナビゲートするための直線的ジェスチャの後続のステップを示す。
【図１４】図１３の表示システムのグラフィック表示であり、表示領域の順次並置されたパネル間をナビゲートするための直線的ジェスチャの別の後続のステップを示す。
【図１５】図１４の表示システムのグラフィック表示であり、表示領域の順次並置されたパネル間をナビゲートするための直線的ジェスチャによって選択された後続のパネルを表示する。
【図１６】本発明によるナビゲーションモジュールを使用した表示システムのグラフィック表示であり、表示領域の順次並置されたパネルのうちの選択されたパネルを示す。
【図１７】図１６の表示システムのグラフィック表示であり、表示領域の順次並置されたパネル間をナビゲートするための直線的ジェスチャの第１のステップを示す。
【図１８】図１７の表示システムのグラフィック表示であり、表示領域の順次並置されたパネル間をナビゲートするための直線的ジェスチャの後続のステップを示す。
【図１９】図１８の表示システムのグラフィック表示であり、表示領域の順次並置されたパネル間をナビゲートするための直線的ジェスチャの別の後続のステップを示す。
【図２０】図１９の表示システムのグラフィック表示であり、表示領域の順次並置されたパネル間をナビゲートするための直線的ジェスチャの別の後続のステップを示す。
【図２１】図２０の表示システムのグラフィック表示であり、表示領域の順次並置されたパネル間をナビゲートするための直線的ジェスチャによって選択された後続のパネルを表示する。
【図２２】本発明によるナビゲーションモジュールを使用した表示システムのグラフィック表示であり、表示領域の順次並置されたパネルのうちの選択されたパネルを示す。
【図２３】図２２の表示システムのグラフィック表示であり、表示領域の順次並置されたパネル間をナビゲートするための直線的ジェスチャの第１のステップを示す。
【図２４】図２３の表示システムのグラフィック表示であり、表示領域の順次並置されたパネル間をナビゲートするための直線的ジェスチャの後続のステップを示す。
【図２５】図２４の表示システムのグラフィック表示であり、表示領域の順次並置されたパネル間をナビゲートするための直線的ジェスチャの別の後続のステップを示す。
【図２６】図２５の表示システムのグラフィック表示であり、表示領域の順次並置されたパネル間をナビゲートするための直線的ジェスチャの別の後続のステップを示す。
【図２７】図２６の表示システムのグラフィック表示であり、表示領域の順次並置されたパネル間をナビゲートするための直線的ジェスチャの別の後続のステップを示す。
【図２８】図２７の表示システムのグラフィック表示であり、表示領域の順次並置されたパネル間をナビゲートするための直線的ジェスチャによって選択された後続のパネルを表示する。
【発明を実施するための形態】
【００１０】
添付の図面を含む実施形態を参照して、本発明をここでさらに詳細に説明する。
【００１１】
本発明による表示システム１は、図に示されるような好ましい実施形態により説明される。概して、表示システム１は、ソフトウェア及びハードウェアを使用して、汎用ユーザインターフェースを介して表示コンテンツの順次並置されたパネルをナビゲートする。
【００１２】
まず図１を参照して、表示システム１の一実施形態のためのハードウェアインフラストラクチャを説明する。好ましい実施形態では、表示システム１は、ネットワークルータ２（例えば無線ルータ）上に構築され、データベースサーバ４に接続されている一方、ウェブサーバ６、ファイアウォール８、ネットワーク９、及び計算装置１０を備える既知のハードウェア構成要素も利用する。
【００１３】
表示システム１は、ユーザが、計算装置１０及びウェブサーバ６に接続するデータベースサーバ４（すなわち、ＳＱＬＳｅｒｖｅｒ又はＷｉｎｄｏｗｓＳｅｒｖｅｒ２０１２以降）上のネットワークトラフィック情報を通じて、情報及び画像などのグラフィックデータ２４を備える複数の画像ファイル２０にアクセスすることを可能にする。ウェブサーバ６は、ネットワークルータ２が計算装置１０とデータベースサーバ４との間のアプリケーションプログラミングインターフェース（ＡＰＩ）を介してデータベースサーバ４と通信する手段として機能する。ファイアウォール８は、限定はしないが、ウェブサーバ６への不正アクセスを阻止し、不正な通信を許可するなどのセキュリティ目的のために統合されている。表示システム１は、パーソナルエリアネットワーク（ＰＡＮ）、ローカルエリアネットワーク（ＬＡＮ）、キャンパスエリアネットワーク（ＣＡＮ）、ワイドエリアネットワーク（ＷＡＮ）、メトロポリタンエリアネットワーク（ＭＡＮ）及び将来開発される任意の新しいネットワークシステムを介してダウンロードされる画像ファイル２０を介して計算装置１０により動作するように設計される。これらのネットワークはネットワーク９で表される。当業者であれば、画像ファイル２０を計算装置１０に事前にロードすることができるので、表示システム１を計算装置１０を通してのみ維持することができることを理解されたい。図示の実施形態では、ユーザは、ネットワーク９を介して計算装置１０を使用してネットワークルータ２に接続する。
【００１４】
図２を参照して計算装置１０について説明する。計算装置１０は、概して、表示領域１２ａを備えた汎用ユーザインターフェース１２、メモリ装置１５、及びプロセッサ１６を備える。図示の実施形態では、計算装置１０はタッチスクリーンディスプレイ１１を備えたタブレットコンピュータである。計算装置１０は、音声出力装置１７及び音声入力装置１８を備えるセンサを備える。音声出力装置１７はスピーカ又は音声ジャックであり、一方、音声入力装置１８は内蔵マイクロホンであってもよい。タッチスクリーンディスプレイ１１は、汎用ユーザインターフェース１２をナビゲートするために指又はスタイラスのジェスチャを使用する。しかしながら、当業者であれば、コンピュータのマウス、キーボード、又はジョイスティックを備える他の器具を使用できることを理解されたい。実際、計算装置１０は物理的なコンピュータであり、デスクトップコンピュータ、ラップトップコンピュータ、又は携帯電話であり得るが、それらに限定されないことを当業者は理解されたい。メモリ装置１５は、デジタルデータを保持するために使用されるコンピュータ構成要素及び記録媒体を有する記憶装置である。プロセッサ１６は、計算を行うことによりメモリ装置１５に記憶されているデータを操作する中央処理装置（ＣＰＵ）である。
【００１５】
図３を参照する。画像ファイル２０は、計算装置１０のための汎用ユーザインターフェース１２の例示として説明される。
【００１６】
画像ファイル２０は、表示するために指定されたタスクを実行するように書かれた一連の命令を備え、概して表示モジュール及び聴覚モジュールを備える。画像ファイル２０は、グラフィック要素２５、字句要素２６、及び場合によっては聴覚要素（図示せず）を含むグラフィックデータ２４をさらに備える。特に、表示モジュールは、汎用ユーザインターフェース１２を介してグラフィック要素２５及び字句要素２６を表示する。聴覚モジュールはまた、グラフィック要素２５及び字句要素２６に対応する聴覚要素２７を知らせる（broadcasting）ことによって聴覚機能も実行する。
【００１７】
図３に示すように、表示システム１は、１つ以上のページのグラフィックデータ２４を表示する。グラフィックデータ２４はリレーショナルデータベースに記憶され、リレーショナルデータベースは、図３のパネル１９として識別されるリンクに一致する関連テーブルに記録されたデータ要素を含む。示されるように、単一のページは１つ以上のパネル１９を備える。これらのパネル１９は、汎用ユーザインターフェース１２に沿った座標に対応する。
【００１８】
図３に示すように、どのパネルのデータが聴覚モジュールによって利用されているかを識別するためにインデックスキーを使用して、各パネル１９に関連付けられたグラフィックデータ２４をデータベースに記憶する方法の例では、インデックスキーに関連する他の様々な要素を呼び出して、文章パネルを所望の言語の文章で埋めるか、又は話している文章の音声記録を装置に再生させることができる。
【００１９】
次に図４を参照すると、表示システム１用のナビゲーションモジュール５０を説明する。
【００２０】
概して、ナビゲーションモジュール５０は、表示システム１を介して表示されたグラフィックデータ２４の順次並置されたパネル１９をユーザがナビゲートするシステム及び方法を提供する。より具体的には、ユーザは、表示システム１を介してパネル１９の表示モードとパネル１９のナビゲーションモードとの間で切り替えることができる。図３に示されるように、表示モードは、表示システム１の各ページについて１００％の表示可能コンテンツを含む。例えば、図４に示すように、表示モードはパネル１９の完全なページを表示する。より具体的には、図４は、汎用ユーザインターフェース１２の利用可能な表示領域１２ａの１００％を占める８つのパネル１９を示す。
【００２１】
対照的に、図５に示されるように、ナビゲーションモードにおいて、ユーザは汎用ユーザインターフェース１２を通して被選択パネル１９ａを選択する。ナビゲーションモジュール５０は、被選択パネル１９ａに向かってページ全体に亘ってパンする。パンしている間、ナビゲーションモジュール５０は、次いでズームインし、被選択パネル１９のズーム画像を表示する。図示の実施形態では、被選択パネル１９ａは、使用可能な利用可能表示領域１２ａの約８５〜９０％を占めてもよい。さらに、被選択ディスプレイ１９ａを囲むように順次並置されたパネル１９が示されている。図示の実施形態では、順次並置されたパネル１９は、利用可能な表示領域１２ａの残りの約１０〜１５％を占める。
【００２２】
図４〜図２８に示すように、ナビゲーションモジュール５０は、タッチスクリーン計算装置のオペレーティングシステムの標準入出力処理技術の上にオーバーレイを有するタッチスクリーン１３を備える計算装置１０を使用する。入出力システムの上にあるオーバーレイは、画面上の特定の領域を選択可能な要素、すなわち、グラフィック要素２５、字句要素２６として識別し、ユーザが選択したい要素を含む弧として認識されるジェスチャを検出及び処理するように設計されている。
【００２３】
図４から図１０まで参照すると、並置されたパネル１９は、例えば話の筋書きの順に、順次順番に配置されている。第１に、ユーザは、汎用ユーザインターフェース１２内のパネル１９に対応するようにタッチスクリーン１３に触れることによって被選択パネル１９ａを選択する。これによりナビゲーションモジュール５０が開始される。最初の接触のナビゲーション開始位置５２は、メモリ装置１５に記憶されており、汎用ユーザインターフェース１２の座標系の特定の座標に対応する。ナビゲーションモジュール５０は、被選択パネル１９ａにズームインし、被選択パネル１９ａの周囲にソフトエッジ効果６０を配置する。ナビゲーションモジュール５０は、被選択パネル１９ａを囲む任意の順次並置されたパネル１９の上に陰影Ｓを同時に提供する。図５に示す実施形態では、ナビゲーションモジュール５０は、シーンのエッジにおける１００％の透明度から８０％の不透明度まで〜２０ｐｘのソフトな遷移を提供する。
【００２４】
図６に示されるように、ユーザは、再び汎用ユーザインターフェース１２を押してナビゲーション開始位置５２を提供することによって、順次並置されたパネル１９の話の筋書きを続けることができる。その後ユーザは、被選択パネル１９ａ及び周囲の順次並置されたパネル１９の位置に対してスワイプジェスチャを上、下、左、又は右の方向に実行することによって後続のパネル１９ｃを選択することができる。これは、計算装置１０を指で押すこと（例えば、画面に触れてから連続動作を使用してある方向に移動すること）によって、１回の連続した直線的な動作における完全なスワイプジェスチャによって実行され、ナビゲーション開始位置５２はナビゲーションモジュール５０によって生成され記憶される。図示の実施形態では、ユーザは、一定又は可変の長さ寸法の連続スワイプ５１を通して直線的ジェスチャを実行する。しかしながら、当業者は、ナビゲーションモジュール５０が弧のような他の幾何学的経路を必要とする可能性があることを理解されたい。特に、図示の実施形態では、ナビゲーションモジュール５０が起動されると表示シーケンスが起動され、図示の実施形態では図５〜図１０に例示的に示されている。例えば、表示シーケンスは、順次並置されたパネル１９のズームアウト／再センタリング／ズームインの組み合わせ動作を表す画像ファイル２０の連続表示である。さらに、陰影順序Ｓも実行される。例えば、ユーザが被選択パネル１９ａからズームアウトすると、周囲の順次並置されたパネル１９の陰影Ｓは、１００％から１００％→０％→１００％になり、その後、後続のパネル１９ｃがズームインする場合、１００％戻る。
【００２５】
本発明によれば、ナビゲーションモジュール５０は、連続スワイプ５１の直線経路のナビゲーション開始位置５２とナビゲーション終了位置５４との間の距離（Ｌ）を決定することによって、連続スワイプ５１の経路を評価する。スワイプジェスチャが停止すると、ナビゲーション終了位置５４が決定される。直線経路が開始したとナビゲーションモジュール５０が判断すると、ナビゲーションモジュール５０は、連続スワイプ５１の開始位置５２と現在位置との間の座標であるナビゲーション開始位置５２と中間経路５３の選択座標によって、連続スワイプ５１の方向ベクトル（Ｖ）の計算を開始する。
【００２６】
図５〜図１０に示すように、ユーザは、被選択パネル１９に対する後続パネル１９ｃの位置と一致するナビゲーション開始位置５２を提供する。次に、ユーザは、被選択パネル１９ａの位置及び方向と一致するナビゲーション終了位置５４まで汎用ユーザインターフェース１２を横切ってスライドする。示された実施形態では、これは横方向の動作であり、ナビゲーションモジュール５０は、これが、示された実施形態では方向ベクトルＶ、又は横方向のスワイプの形態であることを識別する。ナビゲーションモジュール５０は、その後、後続パネル１９ｃを決定し、上述のように表示シーケンスを実行する。指がタッチスクリーン１３から持ち上げられる前に、連続スワイプ５１に沿って移動することによって、いつでもシーケンスを制御し前後に移動させることができる。例えば、ユーザは、被選択パネル１９ａを３０〜４０％ズームアウトし、後続のパネル１９ｃに再センタリングし、次いで被選択パネル１９ａにズームして戻ることができる。その結果、各パネル１９を直線的な順序で個々にスライドして扱う代わりに、ユーザはむしろ汎用ユーザインターフェース１２のパネルをナビゲートしながらページ上でズームイン及びズームアウトする。
【００２７】
ナビゲーションモジュール５０の計算論理は、２つの一般的なステップ、すなわち（１）ナビゲーション開始位置５２及びナビゲーション終了位置５４を計算すること、（２）それらの間の中間経路５３を計算することに分割することができる。
【００２８】
ナビゲーション開始位置５２を計算するとき、ズーム倍率が考慮されなければならない。例えば、被選択パネル１９ａの幅が表示領域１２ａの幅の９５％未満である場合、ナビゲーションモジュール５０は、被選択パネル１９ａの幅が表示領域１２ａの幅の９５％となるように拡大する。被選択パネル１９ａの高さが表示領域１２ａの高さの９５％より大きい場合、ナビゲーションモジュール５０は被選択パネル１９ａの高さが表示領域１２ａの高さの９５％になるように倍率を減少させる。さらに、ナビゲーションモジュール５０は、被選択パネル１９ａを表示領域１２ａの中央に配置した。被選択パネル１９ａのいずれかのエッジが表示領域１２ａの外側にある場合、ナビゲーションモジュール５０は、被選択パネル１９ａエッジを対応する表示領域１２ａエッジと位置合わせするように位置を調整する。
【００２９】
ナビゲーションモジュール５０はまた、上述したように、ユーザが表示シーケンスを制御することを可能にする。図示の実施形態では、ユーザは、動作制御ジェスチャサイズとして、表示領域１２ａの幅／高さの最大５０％を使用することができ、すなわち、スワイプが表示領域１２ａの５０％をカバーする場合、そのナビゲーションモジュール５０は、タッチスクリーン１３から指を持ち上げるのと同じように、方向ベクトルＶを決定するためにナビゲーション終了位置５４を識別する。別の実施形態では、表示領域１２ａのサイズの半分（画面幅／高さの２５％）をカバーする前にユーザが連続スワイプ５０を止めると、ナビゲーションモジュール５０はナビゲーションモードの被選択パネル１９ａの表示に戻る。しかし、表示領域１２ａの半分（画面幅／高さの２５％）をカバーした後、全表示領域（画面幅／高さの１００％）をカバーする前にユーザが連続スワイプ５０を止めると、ナビゲーションモジュール５０は方向ベクトルＶを識別するためにナビゲーション終了位置５４を自動的に識別する。さらに、方向ベクトルＶの計算に関して上述したように、ユーザは、主方向が水平か垂直かを判断するために連続スワイプ５０の最初の１０％を使用できる。
【００３０】
表示シーケンスをより明確にするために、ナビゲーションモジュール５０は、ユーザが中間経路５３の間に表示シーケンスを制御することを可能にする。これには中間のズーム倍率が含まれる。表示シーケンス中のズーム曲線は、開始シーンのズーム倍率−＞中間ズーム倍率−＞終了シーンのズーム倍率である。
【００３１】
図示の実施形態では、開始ズーム倍率又は終了ズーム倍率の一方が１．０（ズームなし）の場合、中間ズーム倍率は開始シーンズーム倍率と終了シーンズーム倍率との中間（線形ズーム調整−「オーバーズームアウト」を回避するため）である。それ以外の場合、ズーム倍率は開始又はシーンの５０％として計算される。例えば、被選択パネルのシーンズーム倍率が、現在１．５である場合、シーンが後続のパネル１９ｃに進むにつれて、中間ズーム倍率は１．２５になる。
【００３２】
図１１〜図１５に示すように、ユーザは、被選択パネル１９に対する後続のパネル１９ｃの位置と一致するナビゲーション開始位置５２を提供する。次に、ユーザは、被選択パネル１９ａの位置及び方向と一致するナビゲーション終了位置５４まで汎用ユーザインターフェース１２を横切ってスライドする。図示の実施形態では、これは横方向の動作であり、ナビゲーションモジュール５０は、これが、図示の実施形態では方向ベクトルＶ、又は垂直スワイプの形態であることを識別する。ナビゲーションモジュール５０は、その後、後続パネル１９ｃを決定し、上述のように表示シーケンスを実行する。指がタッチスクリーン１３から持ち上げられる前に、連続スワイプ５１に沿って移動することによって、いつでもシーケンスを制御し前後に移動させることができる。
【００３３】
図１６から図２１は、他の例示的な表示シーケンスを示し、ユーザは右から左へ連続スワイプ５１を実行する。ナビゲーションモジュール５０は、方向ベクトルを決定して適切な表示シーケンスを表示するために、ナビゲーション開始位置５２、ナビゲーション終了位置５４、及び中間経路５３を決定する。
【００３４】
同様に、図２２から図２８は別の例示的な表示シーケンスを示し、ユーザは、表示領域１２ａの底部から上部へと連続スワイプ５１を実行する（すなわち、図２２から図２８の順序に示すように、連続的な動作で）。ナビゲーションモジュール５０は、方向ベクトルを損なうと共に適切な表示シーケンスを表示するために、ナビゲーション開始位置５２、ナビゲーション終了位置５４、及び中間経路５３を再び決定する。
【００３５】
本発明による表示システム１は、コンピュータ及びモバイル装置のマルチメディア機能を利用し、グラフィック小説／漫画本フォーマットなどの出版物の通信機能を活用して様々な文脈要素（例えば、ロケール、キャラクター、ストーリー）を提供し、その一方で、装置の計算能力により、ユーザは単純なコマンドを通してそこをナビゲートすることができる。
【００３６】
上記は、本発明を実施するための可能性のいくつかを例示している。本発明の範囲及び趣旨内で他の多くの実施形態が可能である。したがって、その特定の目的に適合させるために、より多い又は少ない前述の構成要素を使用することができる。したがって、前述の説明は限定的なものではなく例示的なものと見なすべきであり、本発明の範囲はそれらの全範囲の均等物と共に添付の特許請求の範囲によって与えられることが意図されている。
【図１】
2020507174.tif 000003
【図２】
2020507174.tif 000004
【図３】
2020507174.tif 000005
【図４】
2020507174.tif 000006
【図５】
2020507174.tif 000007
【図６】
2020507174.tif 000008
【図７】
2020507174.tif 000009
【図８】
2020507174.tif 000010
【図９】
2020507174.tif 000011
【図１０】
2020507174.tif 000012
【図１１】
2020507174.tif 000013
【図１２】
2020507174.tif 000014
【図１３】
2020507174.tif 000015
【図１４】
2020507174.tif 000016
【図１５】
2020507174.tif 000017
【図１６】
2020507174.tif 000018
【図１７】
2020507174.tif 000019
【図１８】
2020507174.tif 000020
【図１９】
2020507174.tif 000021
【図２０】
2020507174.tif 000022
【図２１】
2020507174.tif 000023
【図２２】
2020507174.tif 000024
【図２３】
2020507174.tif 000025
【図２４】
2020507174.tif 000026
【図２５】
2020507174.tif 000027
【図２６】
2020507174.tif 000028
【図２７】
2020507174.tif 000029
【図２８】
2020507174.tif 000030
【国際調査報告】
2020507174.tif 000031
2020507174.tif 000032